(57)【要約】【課題】複数のデジタル放送方式から１方式が選択されている場合であっても、他の方式の付属情報を検出できるデジタル放送受信装置を提供する。【解決手段】複数方式のデジタル放送から任意の１方式を選択し、その方式のトランスポート・ストリームを復号するデジタル放送受信装置で、チューナ部３、１３からデ・マルチプレクサ部６、１６までのフロント側受信回路２、１２を各デジタル放送方式の受信経路毎に個別に形成し、各デジタル放送方式のトランスポート・ストリームから付属情報のパケットを検出して各パケットの出力先を切り替える選択制御部２１と、付属情報復号部５１と、復号された付属情報の内容を格納する記憶部とを有する。【選択図】　　　　図１
2004120452.tif 000002
【特許請求の範囲】
【請求項１】
複数方式のデジタル放送から任意の１方式のデジタル放送を選択し、該方式のデジタル放送に多重化されている複数チャンネルの映像信号のパケット、音声信号のパケットおよび付属情報のパケットを含むトランスポート・ストリームを復号可能なデジタル放送受信装置であって、
チューナ部、復調部、デ・スクランブラ部、および、デ・マルチプレクサ部からなるフロント側受信回路が各デジタル放送方式の受信経路毎に個別に形成され、
前記各フロント側受信回路からのトランスポート・ストリームが入力されて、その中から前記付属情報のパケットを検出し、該検出結果に基づいて各パケットの出力先を切り替える選択制御部と、
前記付属情報のパケットを復号する付属情報復号部と、
復号された付属情報の内容を格納する記憶部と
を有し、
前記選択制御部は、検出された付属情報のパケットを前記付属情報復号部に出力し、
前記付属情報復号部は、復号した付属情報を前記記憶部に格納する
ことを特徴とするデジタル放送受信装置。
【請求項２】
映像信号のパケットを復号する映像信号復号部と、
音声信号のパケットを復号する音声信号復号部と
を有し、
前記選択制御部は、
前記選択されたデジタル放送方式且つ選択されたチャンネルの映像信号を検出して前記映像信号復号部に出力し、
前記選択されたデジタル放送方式且つ選択されたチャンネルの音声信号を検出して前記音声信号復号部に出力し、
前記選択されたデジタル放送方式の付属情報のパケットに加え、選択されていないデジタル放送方式の付属情報のパケットも前記付属情報復号部に出力し、
前記付属情報復号部は、少なくとも前記選択されていないデジタル放送方式の復号した付属情報を前記記憶部に格納する
ことを特徴とする請求項１に記載のデジタル放送受信装置。
【請求項３】
前記選択制御部は、
各方式毎に前記フロント側受信回路から入力されるトランスポート・ストリームを、非同期方式で検出および出力先の切替を実施する
ことを特徴とする請求項１または２に記載のデジタル放送受信装置。
【請求項４】
前記デジタル放送方式が、付属情報を取得するためには、複数チャンネルから受信するチャンネルを選択する必要がある場合、
前記選択制御部は、
前記映像信号復号部に出力するパケットおよび前記音声信号復号部に出力するパケットは、前記選択されたデジタル放送方式且つ選択されたチャンネルのものであり、
前記付属情報復号部に出力するパケットは、前記受信チャンネルを選択する必要があるデジタル放送方式のフロント側受信回路におけるデ・マルチプレクサ部で、分離される全受信チャンネルを順次選択することにより、各チャンネルの付属情報を取得する
ことを特徴とする請求項２または３に記載のデジタル放送受信装置。
【請求項５】
前記付属情報が即時に復号する必要のない種類である場合、
前記選択制御部は、
復号前の前記付属情報のパケットを一旦前記記憶部に格納し、所定量以上蓄積されたら再度読み出して前記付属情報復号部に出力する
ことを特徴とする請求項１〜４の何れかに記載のデジタル放送受信装置。
【請求項６】
前記選択制御部は、
前記付属情報のうちから少なくとも電子番組ガイド情報のパケットを選択して出力し、
前記付属情報復号部は、前記付属情報のうちから少なくとも電子番組ガイド情報のパケットを復号して前記記憶部に格納する
ことを特徴とする請求項１〜５の何れかに記載のデジタル放送受信装置。
【請求項７】
前記付属情報の内容が格納される記憶部は、不揮発性の記憶回路である
ことを特徴とする請求項１〜６の何れかに記載のデジタル放送受信装置。
【請求項８】
複数方式のデジタル放送から任意の１方式のデジタル放送を選択し、該方式のデジタル放送に多重化されている複数チャンネルの映像信号のパケット、音声信号のパケットおよび付属情報のパケットを含むトランスポート・ストリームを、各デジタル放送方式毎に個別の受信経路で受信でき、各トランスポート・ストリームのパケットを検出して、前記付属情報のパケットは、映像信号および音声信号のパケットのチャンネルに限定されずに復号して格納するデジタル放送受信装置の受信方法であって、
視聴者により選択されたデジタル放送の方式とチャンネルを選択するステップと、
トランスポート・ストリームから、視聴者により選択されたデジタル放送方式およびチャンネルに加えて、選択されていないデジタル放送方式およびチャンネルの付属情報のパケットを選択するステップと、
現在選択されているデジタル放送方式に加えて、選択されていないデジタル放送方式の全ての付属情報をバックグラウンド処理で取得するステップ
を有することを特徴とするデジタル放送受信装置の受信方法。
【請求項９】
前記デジタル放送方式が、付属情報を取得するためには、複数チャンネルから受信するチャンネルを選択する必要がある場合、
付属情報をバックグラウンド処理で取得するステップでは、選択されていないデジタル放送方式の各チャンネルを順次選択することにより、全チャンネル毎の付属情報をバックグラウンド処理で取得するデジタル放送受信装置の受信方法。
【発明の詳細な説明】
【０００１】
【発明の属する技術分野】
この発明は、衛星デジタル放送と地上デジタル放送等の複数方式のデジタル放送の番組を視聴可能であると共に、そのデジタル放送信号に多重化されている付属情報を取得するデジタル放送受信機に関し、特に、付属情報のうちでＥＰＧ（Ｅｌｅｃｔｒｉｃ　Ｐｒｏｇｒａｍ　Ｇｕｉｄｅ：電子番組ガイド）情報を効率的に取得できるデジタル放送受信機に関する。
【０００２】
【従来の技術】
従来のデジタル放送受信装置には、電源オフ後、電源オンしたときに電子番組ガイド（付属情報の一種）をすぐに得られるように、電源をオフするときに電子番組ガイド情報を不揮発性メモリに記憶させ、次に電源をオンするときに不揮発性メモリから電子番組ガイド情報を読み出すものがある（例えば、特許文献１参照。）。
【０００３】
また、従来のデジタル放送受信装置には、マルチ画面表示中の各番組内容を容易に把握して効率良く所望の番組を選択するために、各チャンネルを巡回的に選局する第２チューナを設け、その第２チューナで選局されたチャンネルに対応するジャンル情報を電子番組ガイド情報から抽出し、マルチ画面にジャンル情報を付加表示するものもある（例えば、特許文献２参照。）。
【０００４】
また、従来のデジタル放送受信装置には、ユーザに対して有益な情報を提供し、ユーザが所望する番組を容易に視聴できるように、多重化された複数の番組から選択された番組の映像を表示手段に表示する際に、選択番組のデータに文字データが含まれる場合にはその文字列データも表示させ、切替制御手段により、表示手段に表示された選択番組を、その文字列データに含まれる所定の文字列に対応した現在放送中の番組に切り替えるものもある（例えば、特許文献３参照。）。
【０００５】
【特許文献１】
特開２００２−１４２１６３号公報（第１ページ：要約、第４頁、図２〜３）
【特許文献２】
特開２００２−１３５６７９号公報（第１ページ：要約、第３〜４頁、図３〜５）
【特許文献３】
特開２００２−１３５６６７号公報（第１ページ：要約、第５〜７頁、図１〜５）
【０００６】
従来のデジタル放送受信装置では、以上のようにデジタル放送に多重化されている電子番組ガイド情報を抽出し、不揮発性メモリへの記憶、マルチ画面への表示、表示された文字列データに対応した番組への切替等を実施していた。
【０００７】
【発明が解決しようとする課題】
しかしながら、上記した従来のデジタル放送受信装置の構成及び動作は、衛星デジタル放送と地上波デジタル放送等の複数方式のデジタル放送がある場合であっても、そのうちの１方式のみを受信する場合の構成及び動作であり、例えば、複数方式のデジタル放送から任意の１方式のデジタル放送を選択して復号（および視聴）する場合には、他の方式のトランスポート・ストリーム（以下、ＴＳと記載）信号を復号できなかった。従って、１方式のデジタル放送が選択されている場合には、他の方式の付属情報（電子番組ガイド情報）を検出することはできなかった。
【０００８】
そのため、従来の複数方式が受信可能な従来のデジタル放送受信装置では、選択するチャンネルを、例えば、衛星デジタル放送のチャンネルから地上波デジタル放送のチャンネルにする場合のように、方式も切り替えながらチャンネルを切り替える場合、切り替えられた方式のデジタル放送では、切り替え後に新規に電子番組ガイド情報を抽出してから番組の選択等を実施することになり、方式切替後の番組の検索やチャンネル切替等に多くの時間が必要になるという問題を有していた。
【０００９】
本発明は、上述した如き従来の問題を解決するためになされたものであって、１方式のデジタル放送が選択されている場合であっても、他の方式の付属情報（電子番組ガイド情報）を検出することができるデジタル放送受信装置を提供することを目的とする。
【００１０】
【課題を解決するための手段】
上述の目的を達成するため、本発明に係るデジタル放送受信装置は、複数方式のデジタル放送から任意の１方式のデジタル放送を選択し、その方式のデジタル放送に多重化されている複数チャンネルの映像信号のパケット、音声信号のパケットおよび付属情報のパケットを含むＴＳを復号可能なデジタル放送受信装置であって、チューナ部、復調部、デ・スクランブラ部、および、デ・マルチプレクサ部からなるフロント側受信回路が各デジタル放送方式の受信経路毎に個別に形成され、各フロント側受信回路からのＴＳが入力されて、その中から付属情報のパケットを検出し、その検出結果に基づいて各パケットの出力先を切り替える選択制御部と、付属情報のパケットを復号する付属情報復号部と、復号された付属情報の内容を格納する記憶部とを有し、選択制御部は、検出された付属情報のパケットを前記付属情報復号部に出力し、付属情報復号部は、復号した付属情報を前記記憶部に格納するものである。
【００１１】
また、本発明に係るデジタル放送受信装置の受信方法は、複数方式のデジタル放送から任意の１方式のデジタル放送を選択し、その方式のデジタル放送に多重化されている複数チャンネルの映像信号のパケット、音声信号のパケットおよび付属情報のパケットを含むトランスポート・ストリームを、各デジタル放送方式毎に個別の受信経路で受信でき、各トランスポート・ストリームのパケットを検出して、前記付属情報のパケットは、映像信号および音声信号のパケットのチャンネルに限定されずに復号して格納するデジタル放送受信装置の受信方法であって、視聴者により選択されたデジタル放送の方式とチャンネルを選択するステップと、トランスポート・ストリームから、視聴者により選択されたデジタル放送方式およびチャンネルに加えて、選択されていないデジタル放送方式およびチャンネルの付属情報のパケットを選択するステップと、現在選択されているデジタル放送方式に加えて、選択されていないデジタル放送方式の全ての付属情報をバックグラウンド処理で取得するステップを有するものである。
【００１２】
【発明の実施の形態】
実施の形態１．
図１は本発明の実施の形態１におけるデジタル放送受信装置を示すブロック図である。
【００１３】
図１のデジタル放送受信装置は、例えば、衛星デジタル放送（例えば、放送衛星（ＢＳ）デジタル放送、通信衛星（ＣＳ）デジタル放送等）と地上波デジタル放送等のような複数方式のデジタル放送から任意の１方式のデジタル放送を選択し、その方式のデジタル放送に多重化されている複数チャンネルの映像信号および音声信号に加えて付属情報のパケットを復号可能なデジタル放送受信装置である。映像信号、音声信号および付属情報のパケットが多重化された信号は、トランスポート・ストリーム（ＴＳ）である。また、映像信号のパケットおよび音声信号のパケットは、例えば、ＭＰＥＧ（Ｍｏｖｉｎｇ　Ｐｉｃｔｕｒｅ　Ｅｘｐｅｒｔｓ　Ｇｒｏｕｐ）２規格に準拠したビデオ・トランスポート・パケット、オーディオ・トランスポート・パケットであり、付属情報のパケットは、例えば、ＰＳＩ（Ｐｒｏｇｒａｍ　Ｓｐｅｃｉｆｉｃ　Ｉｎｆｏｒｍａｔｉｏｎ）等のサービス情報のパケットである。電子番組ガイド情報（ＥＰＧ）は、ＰＳＩの１種として伝送され、ＥＰＧにはイベント・インフォメーション・テーブル（ＥＩＴ）といったテーブル形式の情報を有し、その中には、番組名、番組ジャンル情報、番組開始時間、番組継承予定等の情報を含んでいる。
【００１４】
図２は、電子番組ガイド情報の一例を示す図である。この例の場合には、チャンネル１０１〜１０３の１０：００〜１２：００までの各時刻毎の番組（ジャンル：タイトル）がテーブル形式で示されている。
【００１５】
例えば、チャンネル１０１はドラマ専用チャンネルであり、ドラマＡの次にはドラマＢ、ドラマＣ（Ａ、Ｂ、Ｃはタイトル）と続けて放送する。チャンネル１０２は多様な内容を放送するチャンネルであり、スポーツの中で野球Ｄ（Ｄは、例えば、プロチームＸとプロチームＹのリーグ戦）を放送した後には、ニュースＥ（Ｅはタイトル）を放送し、その後には、例えば英会話講座等の教養番組Ｆ（Ｆはタイトル）を放送している。チャンネル１０３は娯楽系のチャンネルであり、スポーツの中でサッカーＧ（Ｇは、例えば、プロチームＰとプロチームＱのカップ戦）を放送した後に、映画Ｈ（Ｈはタイトル）を放送する。
【００１６】
衛星デジタル放送のフロント側受信回路２は、衛星アンテナ１で受信されダウンコンバートされた衛星デジタル放送の受信信号（中間周波数：ＩＦ信号）から目的の周波数信号を周波数変換等で得るチューナ部３、同調した周波数信号を復調する復調部４、復調信号の秘話化を解除するデ・スクランブラ部５、および、秘話化を解除された復調信号の多重化を解除して個別のチャンネル毎のパケットを抽出するデ・マルチプレクサ部６からなる。
【００１７】
一方、地上波デジタル放送のフロント側受信回路１２は、地上波アンテナ１１で受信された地上波デジタル放送の受信信号（ＶＨＦあるいはＵＨＦ帯域の信号）から目的の周波数信号を周波数変換等で得るチューナ部１３、同調した周波数信号を復調する復調部１４、復調信号の秘話化を解除するデ・スクランブラ部１５、および、秘話化を解除された復調信号の多重化を解除して個別のチャンネル毎のパケットを抽出するデ・マルチプレクサ部１６からなる。
【００１８】
フロント側受信回路２、１２の中で、例えば、復調部４は、８ＰＳＫ、ＱＰＳＫやＢＰＳＫなどのデジタル変調方式により変調された信号の復調処理を行い、ＭＰＥＧ２のＴＳを出力する。また、符号化されている入力信号に対して、例えば、ＴＭＣＣ処理、誤り訂正処理やデインタリーブの処理等を行う。一方、復調部１４は、ＯＦＤＭ方式によりデジタル変調された放送信号の復調処理を行い、ＭＰＥＧ２のＴＳを出力する。また、符号化されている受信信号に対して、誤り訂正処理、デインタリーブ、エネルギー拡散などの処理を行う。
【００１９】
デ・スクランブラ５、１５は、例えば、ブロック暗号方式のＭｕｌｔｉ２により暗号化処理されたＴＳの復号処理を行う。ＩＣカードなどに記憶された個別情報とデジタル放送から伝送される各情報を用いてスクランブルを復号処理しＴＳを出力する。
【００２０】
デ・マルチプレクサ６、１６は、ＭＰＥＧ２のＴＳの中から必要なパケットをフィルタリングにより取り出す。ＭＰＥＧ２−Ｓｙｓｔｅｍｓ規格に基づき処理されたパケットから必要なパケットを多重分離して出力する。
【００２１】
本実施の形態では、デジタル放送受信装置内の衛星デジタル放送のフロント側受信回路２と、地上波デジタル放送のフロント側受信回路１２が、異なるデジタル放送方式の受信経路毎に個別に設けられている。
【００２２】
選択制御部２１は、各フロント側受信回路２、１２からのＴＳが入力され、そのパケットのヘッダ情報（パケットＩＤ等）および視聴者（使用者）の選択内容に基づいて、映像信号、音声信号、付属情報のパケットを検出し、その検出結果に基づいて各パケットの出力先を切り替えている。その際に、選択制御部２１は、複数のデジタル放送方式毎に個別のフロント側受信回路２、１２から入力されるＴＳからパケットを検出して出力先を振り分けるため、そのＴＳを非同期のままで検出および出力先の切替を実施する。各パケットの検出は、例えば、選択制御部２１内のバッファメモリの内容を受信装置制御部７１で判断したり、あるいは、フロント側受信回路２、１２で予め検出された内容を用いても良い。
【００２３】
例えば、パケットが映像信号の場合、選択されたデジタル放送方式且つ選択されたチャンネルの映像信号を後述する映像信号復号部に出力する。パケットが音声信号の場合、選択されたデジタル放送方式且つ選択されたチャンネルの音声信号を後述する音声信号復号部３１に出力する。パケットが付属情報の場合、選択されたデジタル放送方式の付属情報に加え、選択されていないデジタル放送方式の付属情報も後述する付属情報復号部５１に出力する。
【００２４】
音声信号復号部３１は、選択制御部２１から出力された音声信号のパケットに対し、例えば、ＡＡＣやＡＣ−３等の方式で符号化されたオーディオストリームの復号処理を行い音声制御部３２に出力する。
【００２５】
音声制御部３２は、音声信号復号部３１から出力されるデジタル音声信号に対し、例えば、復号されたデジタル方式の音声信号をアナログ方式の音声信号に変換するＤＡ変換や増幅処理等を行ってスピーカ等の音声出力装置に出力する。
【００２６】
映像信号復号部４１は、選択制御部２１から出力された映像信号のパケットを復号して出力する。例えば、ＭＰＥＧ２−Ｖｉｄｅｏで符号化されたビデオストリームの復号処理を行い、デジタル映像信号を出力する。
【００２７】
映像制御部４２は、例えば、映像信号復号部４１から出力される復号されたデジタル方式の映像信号をアナログ方式の映像信号にＤＡ変換したり、電子番組表のような文字情報のグラフィック画面の合成等の処理を実施し、ディスプレイに表示できるようにして出力する。
【００２８】
付属情報復号部５１は、選択制御部２１から出力された付属情報のパケット（符号化されている）を復号して出力する。本実施の形態では、付属情報の中でも特にＥＰＧのパケットを復号して出力する。例えば、ＭＰＥＧ２−Ｓｙｓｔｅｍｓ規格で規定さているＰＡＴ、ＰＭＴやＥＩＴなどのテーブルからＥＰＧデータを取得し、電子番組表のグラフィック画面を作成し出力する。
【００２９】
また、少なくとも選択されていないデジタル放送方式における復号された付属情報の内容は不揮発性の記憶部６１に格納される。例えば、衛星デジタル放送のあるチャンネルの番組が選択されている場合、少なくとも地上波デジタル放送の付属情報が記憶部６１に格納され、逆に、地上波デジタル放送のあるチャンネルの番組が選択されている場合、少なくとも衛星デジタル放送の付属情報が記憶部６１に格納される。もちろん、その際に選択されているデジタル放送についての付属情報を記憶部６１に格納しても良い。
【００３０】
記憶部６１は、ＮＶＲＡＭ、ＲＡＭ、およびＲＯＭなどシステムに必要なメモリである。後述する受信装置制御部７１や付属情報復号部５１により必要に応じてデータの書き込みや読み出しが実施される。メモリの選択基準としては、電源がオンしている間に全ての処理を終える場合には、ＤＲＡＭ等の不揮発性の記憶素子に格納しても良いが、例えば、一旦電源をオフした後に再起動するときにも、電源をオフする前の付属情報を利用できるようにする場合には、ＮＶＲＡＭ（例えば、フラッシュメモリ）等の不揮発性の記憶素子に格納する。
【００３１】
受信装置制御部７１は、例えば、マイクロプロセッサ等により構成され、各方式のデジタル放送を受信して出力するために上記各部を統合制御するものである。例えば、チューナ部３、１３に対する受信チャンネルの設定や、選択制御部２１の選択と切り換え、映像制御部４２によるグラフィック画像合成と表示など、視聴者の要求等に基づいて記憶部６１の制御や各部の設定を行う。
【００３２】
受信装置制御部７１と上記各部間の制御信号は内部バス８１により伝送される。また、例えば、付属情報復号部５１で復号された付属情報のデータ等も、内部バス８１により記憶部６１に伝送される。
【００３３】
ところで、国内の地上波デジタル放送の方式では、付属情報を取得するためには、その方式中の複数チャンネルから受信するチャンネルを選択する必要がある。つまり、地上波デジタル放送の場合、一括して全チャンネルの付属情報を取得することはできず、個別にチャンネルを選択してからでなければ、付属情報は取得できない。
【００３４】
従って、本実施の形態の選択制御部２１は、地上波デジタル放送を受信する場合、映像信号復号部４１に出力するパケットおよび音声信号復号部３１に出力するパケットについては、選択されたデジタル放送方式且つ選択されたチャンネルのものを維持して選択するが、付属情報復号部５１に出力するパケットは、受信チャンネルを選択する必要がある地上波デジタル放送方式のフロント側受信回路１２におけるデ・マルチプレクサ部１６で分離される全受信チャンネルを順次選択することにより、各チャンネルの付属情報を取得する。
【００３５】
なお、本実施の形態で検出され格納される付属情報としては、例えば、上記したように電子番組ガイド情報（ＥＰＧ）である。従って、本実施の形態の選択制御部２１は、付属情報のうちから少なくとも電子番組ガイド情報のパケットを選択して出力し、付属情報復号部５１は、付属情報のうちから少なくとも電子番組ガイド情報のパケットを復号して記憶部６１に格納する。
【００３６】
図３は、図１の選択制御部２１の内部の一例を示すブロック図である。
衛星デジタル放送方式のフロント側受信回路２から出力されるＴＳは、選択制御部のＴＳ入力１の端子からバッファメモリ２２に入力される。また、地上波デジタル放送方式のフロント側受信回路１２から出力されるＴＳは、選択制御部のＴＳ入力２の端子からバッファメモリ２３に入力される。
【００３７】
切替部２４では、受信装置制御部７１からの制御入力により、各パケット毎に選択して出力先を選択する。音声信号のパケットと映像信号のパケットは、選択制御部２１のＴＳ出力１の端子から音声信号復号部３１あるいは映像信号復号部４１に出力される。電子番組ガイド情報等の付属情報は、例えば、その付属情報が即時に復号する必要がある種類の場合には、選択制御部２１のＴＳ出力２の端子から付属情報（ＥＰＧ）復号部５１に出力される。
【００３８】
付属情報の中でも電子番組ガイド情報等（ＥＰＧ）は、即時に復号しなければならない必要性はあまりないが、例えば、有料放送の課金情報等は即時に復号する必要のある種類の付属情報である。
【００３９】
付属情報が電子番組ガイド情報等のように即時に復号する必要のない種類である場合、選択制御部２１は、受信装置制御部７１からの制御入力により、その復号前の付属情報のパケットを選択制御部２１の記憶部出力の端子から一旦不揮発性の記憶部６１等に格納する。そして、選択制御部２１は、同種のパケットが所定量以上蓄積されたら、受信装置制御部７１からの指示により、再度記憶部６１等から読み出して、記憶部出力の端子から入力したパケットを切替部２４で切り替えてＴＳ出力２の端子から付属情報（ＥＰＧ）復号部５１に出力する。
【００４０】
このように、復号に即時性が必要ない付属情報については、一旦記憶部６１等に蓄積して所定量まで蓄積することで、非同期で処理される選択制御部２１における各データの紛失等の不都合を減少させることができ、また、所定量の同種のパケットを連続して出力させることができるので、後段回路となる付属情報（ＥＰＧ）復号部５１の処理効率を向上させることができる。
【００４１】
ここで、本実施の形態と従来のデジタル放送受信装置の構成との違いを説明する。
従来のデジタル放送受信装置の場合でも、例えば、図１において衛星デジタル放送の復調部４までと、地上波デジタル放送の復調部１４までは、各放送方式毎に独立した受信回路である。しかし、各復調部４、１４の出力はセレクタ部で選択されて、各放送方式で共通のデ・スクランブラ部５およびデ・マルチプレクサ部６に入力され、セレクタ部で選択されたパケットのみが各復号部３１、４１、および、５１に入力される。
【００４２】
つまり、従来のデジタル放送受信装置の場合は、セレクタ部で２つ放送のＴＳ入力のうちから視聴者が選択した一方のＴＳを選択し、衛星デジタル放送の受信ＴＳと地上波デジタル放送の受信ＴＳを切換えて、各放送方式で共通のデ・スクランブラ５以降の回路に出力する。
【００４３】
言い換えれば、従来のデジタル放送受信装置の場合、デ・スクランブラ部５およびデ・マルチプレクサ部６が共通であり、セレクタ部で衛星デジタル放送のパケットのみが選択されるため、例えば、衛星デジタル放送のチャンネル（番組）を選択（受信）している場合には、地上波デジタル放送のパケットはセレクタ部以降の回路には入力されない。従って、従来のデジタル放送受信装置の場合には、付属情報復号部５１では、衛星デジタル放送の付属情報は復号できるが、地上波デジタル放送の付属情報は入力しないので復号は不可能である。
【００４４】
それに対して、図１に示した本実施の形態のデジタル放送受信装置では、例えば、視聴者が衛星デジタル放送を視聴している時に、地上波デジタル放送の放送中の各局の電子番組ガイド情報を復号して格納することができる。しかも、その格納（取得）は、視聴者が衛星デジタル放送を視聴するための処理のバックグラウンド処理で自動的に行うことができる。
【００４５】
次に図１のデジタル放送受信装置の動作について説明する。
図４は、視聴者の選択が衛星デジタル放送の番組である場合の図１のデジタル放送受信装置の動作を示すフローチャートであり、図５は、視聴者の選択が地上波デジタル放送の番組である場合の図１のデジタル放送受信装置の動作を示すフローチャートである。
【００４６】
まず、視聴者による選択内容が衛星デジタル放送の番組であるか否かの判断が実施され（Ｓ１）、衛星デジタル放送の番組である場合（Ｓ１：ＹＥＳ）には、フロント側受信回路２では衛星デジタル放送のチャンネルを選局し（Ｓ２）、選択制御部２１では、入力する衛星デジタル放送のパケットが付属情報（ＥＰＧ）か否かを判断し（Ｓ３）、付属情報の場合（Ｓ３：ＹＥＳ）には、そのパケットを選択して付属情報復号部５１で復号して記憶部６１に格納して取得する（Ｓ４）。
【００４７】
入力する衛星デジタル放送のパケットが付属情報でない場合（Ｓ３：ＮＯ）には、そのパケットは視聴者により選択されたチャンネルの音声信号か映像信号である。音声信号のパケットについては、音声信号復号部３１に出力して復号し、音声制御部３２から音声出力としてスピーカ等に送出する。映像信号のパケットについては、映像信号復号部４１に出力して復号し、映像制御部４２から映像出力としてディスプレイ装置等に送出する。
【００４８】
ステップＳ４で衛星デジタル放送の付属情報を取得した後、選択制御部２１と受信装置制御部７１は、フロント側受信回路１２を制御して地上波デジタル放送のチャンネルを個別に順次選局していく（Ｓ５）。まず、１つ目のチャンネルが選局されると、選択制御部２１で付属情報のパケットを選択して付属情報復号部５１で復号して記憶部６１に格納して取得する（Ｓ６）。次いで、全ての地上波デジタル放送のチャンネルの付属情報を取得終了したか否かの判断を行い（Ｓ７）、全てのチャンネル（地上波）の付属情報を取得終了した場合（Ｓ７：ＹＥＳ）には処理を終了するが、全てのチャンネル（地上波）の付属情報を取得終了していない場合（Ｓ７：ＮＯ）には、再びステップＳ５に戻り、次のチャンネルを選局して、ステップＳ６、Ｓ７の処理を全てのチャンネル（地上波）に対して実施するまで繰り返す。
【００４９】
視聴者の選択が衛星デジタル放送の番組である場合には、このようにして視聴者が希望する番組を視聴するバックグラウンド処理で自動的に地上波デジタル放送の付属情報（ＥＰＧ）を取得することができる。
【００５０】
一方、視聴者による選択内容が地上波デジタル放送の番組である場合（Ｓ１：ＮＯ）には、図５のステップＳ１１に進んで、フロント側受信回路１２で地上波デジタル放送のチャンネルを選局し（Ｓ１１）、選択制御部２１では、入力する地上波デジタル放送のパケットが付属情報（ＥＰＧ）か否かを判断し（Ｓ１２）、付属情報の場合（Ｓ１２：ＹＥＳ）には、そのパケットを選択して付属情報復号部５１で復号して記憶部６１に格納して取得する（Ｓ１３）。
【００５１】
入力する地上波デジタル放送のパケットが付属情報でない場合（Ｓ１２：ＮＯ）には、そのパケットは視聴者により選択されたチャンネルの音声信号か映像信号である。従って、その場合には、上記した衛星デジタル放送の場合と同様に、音声信号のパケットについては、音声信号復号部３１に出力して復号し、音声制御部３２から音声出力としてスピーカ等に送出する。映像信号のパケットについては、映像信号復号部４１に出力して復号し、映像制御部４２から映像出力としてディスプレイ装置等に送出する。
【００５２】
ステップＳ１３で地上波デジタル放送の付属情報を取得した後、選択制御部２１と受信装置制御部７１は、フロント側受信回路２を制御して衛星デジタル放送の任意のチャンネルを選局し、選択制御部２１で付属情報のパケットを選択して付属情報復号部５１で復号して記憶部６１に格納して取得する（Ｓ１４）。衛星デジタル放送の場合には、地上波デジタル放送の場合のようにチャンネルを個別に順次選局する必要はない。
【００５３】
次いで、ＢＳとＣＳ等のように異なる方式の衛星デジタル放送についても対応できるように、全ての衛星デジタル放送の付属情報を取得終了したか否かの判断を行い（Ｓ１６）、全ての衛星デジタル放送の付属情報を取得終了した場合（Ｓ１６：ＹＥＳ）には処理を終了するが、全ての衛星デジタル放送の付属情報を取得終了していない場合（Ｓ１６：ＮＯ）には、再びステップＳ１４に戻り、次の方式の衛星デジタル放送を受信して、ステップＳ１４、Ｓ１５の処理を全ての方式の衛星デジタル放送に対して実施するまで繰り返す。
【００５４】
視聴者の選択が地上波デジタル放送の番組である場合には、このようにして視聴者が希望する番組を視聴するバックグラウンド処理で自動的に衛星デジタル放送の付属情報（ＥＰＧ）を取得することができる。なお、図１の場合の地上波デジタル放送の付属情報は、選択されているチャンネルに対応するもののみとなるが、例えば、フロント側受信回路１２を２重にすることで選択されていないチャンネルの付属情報をバックグラウンド処理で取得することも可能である。
【００５５】
本実施の形態では、バックグラウンド処理で自動的に取得された付属情報（ＥＰＧ）は、不揮発性の記憶部６１に格納されるため、一旦電源をオフしてから再度電源が投入（オン）された場合でも、ＥＰＧを素早く読み出すことが可能である。
【００５６】
このように本実施の形態では、衛星デジタル放送と地上波デジタル放送等のように複数方式のデジタル放送から任意の１方式のデジタル放送を選択して受信できるデジタル放送受信装置で、視聴者が１つの方式のデジタル放送中の１つのチャンネルを選択した場合に、他の方式の付属情報（ＥＰＧ）をバックグラウンド処理で自動的に取得して記憶部に格納しておくので、デジタル放送の方式も切り替えながらチャンネルを切り替える場合でも、切り替え後に新規に付属情報を抽出してから番組の選択等を実施する必要が無く、方式切替後の番組の検索やチャンネル切替等の時間を減少させることができる。
【００５７】
また、本実施の形態では、バックグラウンド処理で自動的に取得した他の方式の付属情報（ＥＰＧ）を、不揮発性の記憶部に格納しておくので、前回の視聴では選択しなかったデジタル放送の方式のチャンネルを視聴する場合であっても、そのチャンネルを選択する時に、新規に付属情報を抽出してから番組の選択等を実施する必要が無く、方式切替後の番組の検索やチャンネル切替等の時間を減少させることができる。
【００５８】
特に、衛星デジタル放送のチャンネルを視聴するために選択した場合には、バックグラウンド処理で地上波デジタル放送の各チャンネルを巡回して各チャンネル毎に選局しないと得られない付属情報（ＥＰＧ）を得て記憶部に格納するので、その後に地上波デジタル放送のチャンネルを視聴する場合には、全てのチャンネル毎の付属情報を素早く利用することができる。
【００５９】
ところで、上記説明では、この発明における複数のデジタル放送が、衛星デジタル放送と地上波デジタル放送の場合について説明したが、例えば、何れか一方がケーブルテレビ等の有線放送のデジタル放送を受信する場合でも適用できることは言うまでもない。
【００６０】
【発明の効果】
この発明は、以上説明したように、複数方式のデジタル放送から任意の１方式のデジタル放送を選択して受信できるデジタル放送受信装置で、視聴者がデジタル放送の方式も切り替えながらチャンネルを切り替える場合でも、切り替え後に新規に付属情報（ＥＰＧ）を抽出してから番組の選択等を実施する必要が無い。このため、方式切替後の番組の検索やチャンネル切替等の時間を減少させることができる。
【図面の簡単な説明】
【図１】本発明の実施の形態１におけるデジタル放送受信装置を示すブロック図である。
【図２】電子番組ガイド情報の一例を示す図である。
【図３】図１の選択制御部の内部の一例を示すブロック図である。
【図４】視聴者の選択が衛星デジタル放送の番組である場合のデジタル放送受信装置の動作を示すフローチャートである。
【図５】視聴者の選択が地上波デジタル放送の番組である場合のデジタル放送受信装置の動作を示すフローチャートである。
【符号の説明】
１　衛星アンテナ、　２、１２　フロント側受信回路、　３、１３　チューナ部、　４、１４　復調部、　５、１５　デ・スクランブラ部、　６、１６　デ・マルチプレクサ部、　１１　地上波アンテナ、　２１　選択制御部、　３１　音声信号復号部、　３２　音声制御部、　４１　映像信号復号部、　４２　映像制御部、　５１　付属情報（ＥＰＧ）復号部、　６１　（不揮発性）記憶部、　７１　受信装置制御部、　８１　内部バス。
【図１】
2004120452.tif 000003
【図２】
2004120452.tif 000004
【図３】
2004120452.tif 000005
【図４】
2004120452.tif 000006
【図５】
2004120452.tif 000007